【手続補正書】
【提出日】平成17年12月14日(2005.12.14)
【手続補正１】
【補正対象書類名】特許請求の範囲
【補正対象項目名】全文
【補正方法】変更
【補正の内容】
【特許請求の範囲】
【請求項１】
第１の方向に配列された複数の記録素子と、
前記記録素子を駆動するための駆動回路と、
隣接する予め定めた数の前記記録素子を単位としたグループ毎に、画像データに基づいて各グループ内の前記記録素子を選択するための素子選択回路と、
各グループ内の前記記録素子の１つを選択する駆動選択回路と、を有し、
前記素子選択回路と前記駆動選択回路との少なくとも一方が、各グループの前記駆動回路に隣接して配置されていることを特徴とする記録ヘッドの素子基体。
【請求項２】
前記第１の方向は、素子基体に設けられた、インクを供給するための長穴形状のインク供給口の長手方向であり、
前記記録素子と前記駆動回路とが、前記インク供給口側から順に配置されていることを特徴とする請求項１に記載の記録ヘッドの素子基体。
【請求項３】
前記記録素子と前記駆動回路とは、前記素子基体の前記インク供給口の両側にそれぞれ配置されていることを特徴とする請求項２に記載の記録ヘッドの素子基体。
【請求項４】
電気接続のためのパッド部が、前記第１の方向と交差する前記素子基体の辺の側に設けられていることを特徴とする請求項２又は３に記載の記録ヘッドの素子基体。
【請求項５】
前記インク供給口側から順に、前記記録素子と前記駆動回路と前記素子選択回路と、がそれぞれ配置されていることを特徴とする請求項２から４のいずれか１項に記載の記録ヘッドの素子基体。
【請求項６】
隣接する前記グループにそれぞれ対応した、前記駆動回路の間に、前記素子選択回路が配置されていることを特徴とする請求項２に記載の記録ヘッドの素子基体。
【請求項７】
前記素子選択回路に隣接して、前記駆動選択回路がさらに設けられていることを特徴とする請求項５に記載の記録ヘッドの素子基体。
【請求項８】
隣接する前記グループにそれぞれ対応した、前記駆動回路のそれぞれの間に、前記駆動選択回路がさらに設けられていることを特徴とする請求項５に記載の記録ヘッドの素子基体。
【請求項９】
前記各グループに対応する、前記駆動回路と前記素子選択回路とが、前記各グループにおける前記記録素子の前記第１の方向の長さ以内に並列して、配置されていることを特徴とする請求項５に記載の記録ヘッド素子基体。
【請求項１０】
前記駆動選択回路が、対応する前記グループの前記素子選択回路と一列に配置されていることを特徴とする請求項１に記載の素子基体。
【請求項１１】
前記駆動選択回路が、対応する前記グループの前記素子選択回路と並列に配置されていることを特徴とする請求項１に記載の素子基体。
【請求項１２】
前記記録素子は、インクを吐出するための熱エネルギーを発生する、熱エネルギー変換体を含むことを特徴とする請求項１から１１のいずれか１項に記載の記録ヘッドの素子基体。
【請求項１３】
前記素子選択回路は、シフトレジスタとラッチとを含むことを特徴とする請求項１から１２のいずれか１項に記載の記録ヘッドの素子基体。
【請求項１４】
前記素子選択回路は、１ビットのシフトレジスタとラッチを含み、シリアルに接続されていることを特徴とする請求項１３に記載の記録ヘッドの素子基体。
【請求項１５】
前記駆動回路は、駆動用トランジスタおよびＡＮＤ回路を、前記各記録素子に対応して有することを特徴とする請求項１から１４のいずれか１項に記載の記録ヘッドの素子基体。
【請求項１６】
前記駆動選択回路は、デコーダ又はデコーダの一部を構成する回路を含むことを特徴とする請求項１から１５のいずれか１項に記載の記録ヘッドの素子基体。
【請求項１７】
第１の方向に配列された複数の記録素子と、
前記記録素子を駆動するための駆動回路と、
隣接する予め定めた数の前記記録素子を単位としたグループ毎に、画像データに基づいて前記各グループ内の前記記録素子を選択するための素子選択回路と、
前記各グループ内の前記記録素子の１つを選択する駆動選択回路と、を有し、
前記素子選択回路と前記駆動選択回路との少なくとも一方が、前記各グループの前記駆動回路に隣接して配置されている素子基体を備え、
インクを吐出するための吐出口が前記記録素子にそれぞれ対応して設けられていることを特徴とする記録ヘッド。
【請求項１８】
第１の方向に配列された複数の記録素子と、
前記記録素子を駆動するための駆動回路と、
隣接する予め定めた数の前記記録素子を単位としたグループ毎に、画像データに基づいて前記各グループ内の前記記録素子を選択するための素子選択回路と、
前記各グループ内の前記記録素子の１つを選択する駆動選択回路と、を有し、
前記素子選択回路と前記駆動選択回路との少なくとも一方が、前記各グループの前記駆動回路に隣接して配置されている素子基体を備え、
インクを吐出するための吐出口が前記記録素子にそれぞれ対応して設けられた記録ヘッドと、
前記ヘッドにインクを供給するための、インクを保持するインク容器と、を有することを特徴とする記録ヘッドカートリッジ。
【請求項１９】
前記インク容器には、インクが充填もしくは再充填されていることを特徴とする請求項１８に記載の記録ヘッドカートリッジ。
【請求項２０】
第１の方向に配列された複数の記録素子と、
前記記録素子を駆動するための駆動回路と、
隣接する予め定めた数の前記記録素子を単位としたグループ毎に、画像データに基づいて前記各グループ内の前記記録素子を選択するための素子選択回路と、
前記各グループ内の前記記録素子の１つを選択する駆動選択回路と、を有し、
前記素子選択回路と前記駆動選択回路との少なくとも一方が、前記各グループの前記駆動回路に隣接して配置されている素子基体を備え、
インクを吐出するための吐出口が前記記録素子にそれぞれ対応して設けられた記録ヘッドと、
前記画像データを、前記記録ヘッドに送信するための制御手段と、を有することを特徴とする記録装置。
【手続補正２】
【補正対象書類名】明細書
【補正対象項目名】００２９
【補正方法】変更
【補正の内容】
【００２９】
上記目的を達成するため、本発明の一態様としての記録ヘッドの素子基体は、第１の方向に配列された複数の記録素子と、
前記記録素子を駆動するための駆動回路と、
隣接する予め定めた数の前記記録素子を単位としたグループ毎に、画像データに基づいて各グループ内の前記記録素子を選択するための素子選択回路と、
各グループ内の前記記録素子の１つを選択する駆動選択回路と、を有し、
前記素子選択回路と前記駆動選択回路との少なくとも一方が、各グループの前記駆動回路に隣接して配置されている。
【手続補正３】
【補正対象書類名】明細書
【補正対象項目名】００３０
【補正方法】変更
【補正の内容】
【００３０】
すなわち、本発明では、第１の方向に配列された複数の記録素子と、記録素子を駆動するための駆動回路と、隣接する予め定めた数の記録素子を単位としたグループ毎に、画像データに基づいて各グループ内の記録素子を選択する素子選択回路と、各グループ内の記録素子の１つを選択する駆動選択回路と、を備えた記録ヘッドの素子基体において、素子選択回路と駆動選択回路との少なくとも一方を各グループの駆動回路に隣接して配置する。
【手続補正４】
【補正対象書類名】明細書
【補正対象項目名】００３４
【補正方法】変更
【補正の内容】
【００３４】
第１の方向は、素子基体に設けられた、インクを供給するための長穴形状のインク供給口の長手方向であり、記録素子と駆動回路とが、インク供給口側から順に配置されていてもよい。
【手続補正５】
【補正対象書類名】明細書
【補正対象項目名】００３５
【補正方法】変更
【補正の内容】
【００３５】
この場合、記録素子と駆動回路とは、素子基体の前記インク供給口の両側にそれぞれ配置されていてもよい。また、電気接続のためのパッド部が、第１の方向と交差する素子基体の辺の側に設けられていてもよい。更に、インク供給口側から順に、記録素子と駆動回路と素子選択回路と、がそれぞれ配置されていてもよい。
【手続補正６】
【補正対象書類名】図面
【補正対象項目名】図２０
【補正方法】変更
【補正の内容】
【図２０】
2005199703.tif 000001
【手続補正７】
【補正対象書類名】図面
【補正対象項目名】図２３
【補正方法】変更
【補正の内容】
【図２３】
2005199703.tif 000002
【手続補正８】
【補正対象書類名】図面
【補正対象項目名】図２５
【補正方法】変更
【補正の内容】
【図２５】
2005199703.tif 000003